(57)【要約】  光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置において、前記位置決め部に対応する前記拡散部材の切り欠きと前記対向の方向にて対応する位置であって、前記反射シートの一縁部に、凸部を設けることにより、該拡散部材の切り欠き近傍での光反射率を上昇させる。
2015015558.tif 000002
【特許請求の範囲】
【請求項１】
光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置において、
前記拡散部材は前記位置決め部に対応する切り欠きを一側面部に設け、
前記反射シートは前記拡散部材の前記一側面に対応する一縁部に凹凸を有しており、
前記対向の方向にて、前記拡散部材の前記切り欠きは、前記反射シートの前記一縁部の凸部に対応して配置されていることを特徴とする光源装置。
【請求項２】
前記拡散部材の前記一側面部の前記切り欠きを除く剰余部は、前記対向の方向にて、前記反射シートの前記一縁部の凹部に対応して配置されていることを特徴とする請求項１に記載の光源装置。
【請求項３】
前記反射シートの前記凸部には、前記対向の方向にて、前記拡散部材の前記切り欠きと対向する位置に、該切り欠きと相似形である欠落部を有することを特徴とする請求項１又は２に記載の光源装置。
【請求項４】
前記反射シートの前記欠落部は、略三角形であることを特徴とする請求項３に記載の光源装置。
【請求項５】
前記反射シートの前記欠落部は、略円形であることを特徴とする請求項３に記載の光源装置。
【請求項６】
前記反射シートの前記凸部は蛍光剤を含むことを特徴とする請求項１から５の何れかに記載の光源装置。
【請求項７】
前記蛍光剤は一定な反射分光分布特性を有していることを特徴とする請求項６に記載の光源装置。
【請求項８】
光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置において、
前記拡散部材は前記位置決め部に対応する切り欠きを一側面部に設け、
前記拡散部材は、前記対向の方向にて、前記一側面部の前記切り欠きを除く剰余部が、前記収容筐体の底と対面しており、
前記収容筐体の底のうち、前記剰余部と対面する部分には、他部分より低い反射率を有する膜が形成されていることを特徴とする光源装置。
【請求項９】
前記収容筐体の前記膜は一定な反射分光分布特性を有していることを特徴とする請求項８に記載の光源装置。
【請求項１０】
前記収容筐体の前記膜は複数のドットの印刷により形成されていることを特徴とする請求項８に記載の光源装置。
【請求項１１】
前記ドットの径は前記収容筐体底の中央部に向かうに従い小さくなるように構成されていることを特徴とする請求項１０に記載の光源装置。
【請求項１２】
前記拡散部材は光が出射する一面がレンズ形状を有することを特徴とする請求項１から１１の何れかに記載の光源装置。
【請求項１３】
前記拡散部材は光が出射する一面が拡散ビーズを有することを特徴とする請求項１から１１の何れかに記載の光源装置。
【請求項１４】
前記拡散部材は拡散ビーズを含むことを特徴とする請求項１から１３の何れかに記載の光源装置。
【請求項１５】
請求項１から６の何れかに記載の光源装置と、
前記拡散部材の一面側に設けられており、該拡散部材を介して入射される光を用いて画像を表示する表示パネルと
を備えることを特徴とする表示装置。
【発明の詳細な説明】
【技術分野】
【０００１】
本発明は、光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置と、該光源装置を備える表示装置に関する。
【背景技術】
【０００２】
近年、液晶テレビジョンなどの表示装置が広く普及している。このような表示装置は導光板を備えており、該導光板は光源からの光を内部で平面的に伝播させながら画像を表示する表示パネルに向けて照射する。一方、表示パネルへの光の照射を適切に行なうためには導光板の位置ズレを防ぐ必要があり、一般には、位置決め部を用いて導光板の位置を固定しており、導光板には、該位置決め部に対応する位置に、切り欠きが形成されている。【０００３】
しかし、このように位置決め部を用いて導光板の位置を固定する場合、導光板内部を伝播する光が、例えば、前記位置決め部によって反射されて、前記切り欠きの周辺で意図しない反射光が前記導光板を介して表示パネルに出射され、又は前記切り欠きに係る部分にて光の反射率が変更することがあり、表示パネルに輝度のムラが生じるという問題が発生していた。【０００４】
これに対して、特許文献１においては、光源からの光に対する反射率が、位置決め部自体より小さい被覆膜にて、該位置決め部を覆うことにより、導光板の切り欠き部周辺での反射による輝度のムラの発生を防止する光源モジュールについて開示されている。
【先行技術文献】
【特許文献】
【０００５】
【特許文献１】特開２０１２−８４３０３号公報
【発明の概要】
【発明が解決しようとする課題】
【０００６】
しかしながら、特許文献１の光源モジュールは、いわゆる導光板を有するエッジ型表示装置に対応するものであり、該導光板を有しない直下型表示装置においては、適用できない。【０００７】
すなわち、直下型表示装置の拡散板に形成された切り欠き近傍で、拡散板が欠損したことにより、斯かる部分が暗部又は輝度ムラとしてユーザに視認される問題に対応できない。【０００８】
本発明は、斯かる事情に鑑みてなされたものであり、その目的とするところは、光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置において、前記位置決め部に対応する前記拡散部材の切り欠きと前記対向の方向にて対応する位置であって、前記反射シートの一縁部に、凸部を設けることにより、該拡散部材の切り欠き近傍での光反射率を上昇させ、拡散部材の欠損により、前記切り欠き近傍で暗部又は輝度ムラが現れる問題を解決できる光源装置及び表示装置を提供することにある。
【課題を解決するための手段】
【０００９】
本発明に係る光源装置は、光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置において、前記拡散部材は前記位置決め部に対応する切り欠きを一側面部に設け、前記反射シートは前記拡散部材の前記一側面に対応する一縁部に凹凸を有しており、前記対向の方向にて、前記拡散部材の前記切り欠きは、前記反射シートの前記一縁部の凸部に対応して配置されていることを特徴とする。【００１０】
本発明にあっては、前記位置決め部に対応する前記拡散部材の切り欠きを、前記対向の方向において、前記反射シートの前記一縁部の前記凸部と対応する位置に配置することにより、該拡散部材の切り欠き近傍での光反射率を上昇させる。【００１１】
本発明に係る光源装置は、前記拡散部材の前記一側面部の前記切り欠きを除く剰余部は、前記対向の方向にて、前記反射シートの前記一縁部の凹部に対応して配置されていることを特徴とする。【００１２】
本発明にあっては、前記拡散部材の前記剰余部を、前記対向の方向にて、前記反射シートの前記一縁部の凹部に対応して配置し、前記剰余部に係る光反射率を下げることにより、拡散部材の欠損にて前記切り欠き近傍で現れる暗部又は輝度ムラの視認性を低減させる。【００１３】
本発明に係る光源装置は、前記反射シートの前記凸部には、前記対向の方向にて、前記拡散部材の前記切り欠きと対向する位置に、該切り欠きと相似形である欠落部を有することを特徴とする。【００１４】
本発明にあっては、前記反射シートの前記欠落部は、前記対向の方向にて、前記拡散部材の前記切り欠きと対向する位置に形成される。【００１５】
本発明に係る光源装置は、前記反射シートの前記欠落部は、略三角形であることを特徴とする。【００１６】
本発明にあっては、前記反射シートの前記欠落部は、加工性がよく、暗部として現れ易い隅が少ない略三角形である。【００１７】
本発明に係る光源装置は、前記反射シートの前記欠落部は、略円形であることを特徴とする。【００１８】
本発明にあっては、前記反射シートの前記欠落部は、加工性がよく、暗部として現れ易い隅がないうえに、加工部の強度を高める略円形である。【００１９】
本発明に係る光源装置は、前記反射シートの前記凸部は蛍光剤を含むことを特徴とする。【００２０】
本発明にあっては、前記反射シートの前記凸部が蛍光剤を含み、該蛍光剤が光源からの青色発光成分又は外部からの紫外線により励起され、前記凸部の光量をあげる。【００２１】
本発明に係る光源装置は、前記蛍光剤は一定な反射分光分布特性を有していることを特徴とする。【００２２】
本発明にあっては、前記蛍光剤が一定な反射分光分布特性を有するので、反射率が可視光域で一定であり、局所的な色つきを避けることが可能である。【００２３】
本発明に係る光源装置は、光源と、該光源からの光を拡散する拡散部材と、前記光源からの光を該拡散部材に反射する反射シートと、前記拡散部材及び反射シートを対向収容する収容筐体と、該収容部に設けられ、前記拡散部材及び反射シートの前記収容筐体内位置を決める位置決め部とを備える光源装置において、前記拡散部材は前記位置決め部に対応する切り欠きを一側面部に設け、前記拡散部材は、前記対向の方向にて、前記一側面部の前記切り欠きを除く剰余部が、前記収容筐体の底と対面しており、前記収容筐体の底のうち、前記剰余部と対面する部分には、他部分より低い反射率を有する膜が形成されていることを特徴とする。【００２４】
本発明にあっては、前記拡散部材の前記剰余部は、前記対向の方向にて、前記収容筐体の底と対面し、前記収容筐体の底のうち、前記剰余部と対面する部分に低い反射率を有する膜が形成され、前記剰余部に係る反射率を下げる。【００２５】
本発明に係る光源装置は、前記収容筐体の前記膜は一定な反射分光分布特性を有していることを特徴とする。【００２６】
本発明にあっては、前記膜が一定な反射分光分布特性を有するので、反射率が可視光域で一定であり、前記切り欠き以外の箇所の色つきを防止し、表示ムラを視認されにくくする。【００２７】
本発明に係る光源装置は、前記収容筐体の前記膜は複数のドットの印刷により形成されていることを特徴とする。【００２８】
本発明にあっては、前記収容筐体の前記膜が複数のドットの印刷からなるので、印刷の濃淡をつけることが容易となる。【００２９】
本発明に係る光源装置は、前記ドットの径は前記収容筐体底の中央部に向かうに従い小さくなるように構成されている。【００３０】
本発明にあっては、前記ドットの径は前記収容筐体底の中央部に向かうに従い小さくなり、印刷の濃淡の調整が容易となる。【００３１】
本発明に係る光源装置は、前記拡散部材は光が出射する一面がレンズ形状を有することを特徴とする。【００３２】
本発明にあっては、前記拡散部材の前記一面がレンズ形状を有し、いわゆる表示領域に侵入したムラを拡散させることが可能となる。【００３３】
本発明に係る光源装置は、前記拡散部材は光が出射する一面が拡散ビーズを有することを特徴とする。【００３４】
本発明にあっては、前記拡散部材の前記一面が拡散ビーズを有し、いわゆる表示領域に侵入したムラを拡散させることが可能となる。【００３５】
本発明に係る光源装置は、前記拡散部材は拡散ビーズを含むことを特徴とする。【００３６】
本発明にあっては、前記拡散部材が拡散ビーズを含み、該拡散部材内部での拡散効果を高め、該拡散部材の内部へ侵入した暗部ムラを拡散させることが可能となる。【００３７】
本発明に係る表示装置は、前述の発明の何れか一つに記載の光源装置と、前記拡散部材の一面側に設けられており、該拡散部材を介して入射される光を用いて画像を表示する表示パネルとを備えることを特徴とする。【００３８】
本発明にあっては、前記光源装置の拡散部材の前記一面から出射され、前記表示パネルに入射される光を用いて、該表示パネルは所定の画像を表示する。
【発明の効果】
【００３９】
本発明によれば、前記位置決め部に対応する前記拡散部材の切り欠きと前記対向の方向にて対応する位置であって、前記反射シートの一縁部に、凸部を設けることにより、該拡散部材の切り欠き近傍での光反射率を上昇させ、拡散部材の欠損によって前記切り欠き近傍で暗部又は輝度ムラが現れる問題を解決できる。
【図面の簡単な説明】
【００４０】
【図１】本発明の実施の形態１に係る液晶テレビジョンの要部構成を示す分解斜視図である。
【図２】本発明の実施の形態１に係る液晶テレビジョンにおいて、拡散板及び反射シートの収容状態を模式的に示す模式図である。
【図３】図２の円部分を拡大した拡大図である。
【図４】本発明の実施の形態２に係る液晶テレビジョンにおいて、拡散板及び反射シートの収容状態を模式的に示す部分的模式図である。
【図５】本発明の実施の形態３に係る液晶テレビジョンにおいて、拡散板及び反射シートの収容状態を模式的に示す、部分的模式図である。
【図６】は本発明の実施の形態４に係る液晶テレビジョンにおいて、拡散板及び反射シートの収容状態を模式的に示す、部分的模式図である。
【発明を実施するための形態】
【００４１】
以下に、本発明の実施の形態に係る光源装置及び表示装置を、いわゆる液晶表示パネルを備える液晶テレビジョンに適用した場合を例として、図面に基づいて詳述する。
【００４２】
（実施の形態１）
図１は本発明の実施の形態１に係る液晶テレビジョンの要部構成を示す分解斜視図であり、図２は本発明の実施の形態１に係る液晶テレビジョンにおいて、拡散板及び反射シートの収容状態を模式的に示す模式図である。図中符号１００は、本発明の実施の形態に係る液晶テレビジョンを示す。
【００４３】
本発明の実施の形態１に係る液晶テレビジョン１００は、全体として横長の矩形状をなし、説明の便宜上、その長手方向を水平方向とし、短手方向を垂直方向とする。液晶テレビジョン１００は、表示パネルである液晶パネル１１と、光学部材２３と、バックライト装置１２とを備えている。
【００４４】
液晶パネル１１は、透明な一対のガラス基板が所定のギャップを隔てた状態で貼り合わせられるとともに、両ガラス基板間に液晶層が封入された構成である。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、ＲＧＢ等の各着色部が所定配列で配置されたカラーフィルタ、対向電極、さらには配向膜等が設けられている。また、両ガラス基板の外側には偏光板（図示しない）が配されている。液晶パネル１１は表側の周縁部が中空矩形のベゼル１３によって覆われている。
【００４５】
バックライト装置１２は液晶パネル１１側に向けて開口２２１を設け、後述する光源が設けられた箱型のバックライトシャーシ２２を有し、バックライトシャーシ２２の開口２２１は、光学部材２３によって覆われている。また、バックライトシャーシ２２の外縁部に沿ってフレーム２６が設けられており、バックライトシャーシ２２内に、光学部材２３が収容されるように構成されている。
【００４６】
更に、バックライトシャーシ２２内側であって、光学部材２３の直下位置には光源２７が配置されている。光源２７は、例えば、ＬＥＤ２７１と、複数のＬＥＤ２７１が実装された基板２７２と、基板２７２において各ＬＥＤ２７１に対応した位置に取り付けられた拡散レンズとからなる。すなわち、実施の形態１に係る液晶テレビジョン１００はいわゆる直下型である。
【００４７】
また、バックライトシャーシ２２の内側には、光源２７から発せられたバックライトシャーシ２２内の光を光学部材２３側に反射させる反射シート２９が、光源２７の基板２７２を覆うように敷設されている。
【００４８】
バックライトシャーシ２２は、金属製とされ、液晶パネル１１と略同様に矩形をなす底２２２と、底２２２の各辺の縁から液晶パネル１１に向けて立ち上がる側壁２２３とからなる。従って、バックライトシャーシ２２は全体としては液晶パネル１１に向けて開口した浅い箱型をなしている。
【００４９】
また、バックライトシャーシ２２は、側壁２２３付近であって、底２２２の長辺側に、位置決め部２２４，２２４，・・・，２２４を突設している。位置決め部２２４，２２４，・・・，２２４は、拡散板２３１及び反射シート２９をバックライトシャーシ２２内に収容する際に、これらのバックライトシャーシ２２内の位置を決める。
【００５０】
各位置決め部２２４は、その中心軸が反射シート２９の厚み方向と平行する円柱形状をなしており、バックライトシャーシ２２の内側の側壁２２３付近に設けられている。また、バックライトシャーシ２２の位置決め部２２４，２２４，・・・，２２４に対応できるように、拡散板２３１には後述する切り欠き２３１ａ，２３１ａ，・・・，２３１ａが形成され、反射シート２９には後述する凸部２９ｂ，２９ｂ，・・・，２９ｂが形成されている。
【００５１】
光学部材２３は液晶パネル１１に倣う矩形をなしている。光学部材２３は、バックライトシャーシ２２の開口２２１を覆うとともに、液晶パネル１１と光源２７との間に介在して配される。光学部材２３は、光源２７側に配される拡散板２３１と、液晶パネル１１側に配される光学シート２３２とから構成される。
【００５２】
拡散板２３１は、所定の厚みを持つほぼ透明な樹脂製で板状をなす基材内に拡散粒子を多数分散して設けた構成とされ、光源２７側から入射される光を拡散させる。光学シート２３２は、拡散板２３１と比べると板厚が薄いシート状をなしており、２枚が積層して配されている。光学シート２３２としては、例えば拡散シート、レンズシート、反射型偏光シートなどがある。
【００５３】
また、拡散板２３１は、バックライトシャーシ２２の底２２２に倣う矩形を有しており、各長辺側の縁部の３箇所には、バックライトシャーシ２２の位置決め部２２４，２２４，・・・，２２４に対応できるように、切り欠き２３１ａ，２３１ａ，・・・，２３１ａが形成されている。切り欠き２３１ａ，２３１ａ，・・・，２３１ａは、拡散板２３１がバックライトシャーシ２２に収容された場合、位置決め部２２４，２２４，・・・，２２４と係合するように、適切な位置に設けられている。例えば、切り欠き２３１ａ，２３１ａ，・・・，２３１ａによる凹部の形状は、拡散板２３１の厚み方向において、矩形をなしている。
【００５４】
図１に示す、フレーム２６は、液晶パネル１１及び光学部材２３の周縁部に沿う中空矩形をなしている。フレーム２６は光学部材２３における周縁部を覆うように構成されており、また、フレーム２６は、液晶パネル１１における周縁部を、ベゼル１３との間で挟持している。
【００５５】
光源２７は、基板２７２の実装面とは反対側の面が発光面となる、いわゆるトップ型とされる。また、ＬＥＤ２７１は、発光源として青色光を発するＬＥＤチップを備えるとともに、青色光により励起して発光する蛍光体として、緑色蛍光体と赤色蛍光体とを備えている。
【００５６】
また、光源２７の基板２７２は短冊状をなしており、複数の基板２７２がバックライトシャーシ２２の底２２２上に設けられている。複数の基板２７２は、その長手方向がバックライトシャーシ２２の長手方向に沿うようにして、短手方向において並列して配されている。各基板２７２の配列ピッチは、略一定である。
【００５７】
更に、光源２７の前記拡散レンズは、高い透光性を有し、且つ屈折率が空気よりも高い合成樹脂材料（例えばポリカーボネートやアクリルなど）からなる。前記拡散レンズは、ＬＥＤ２７１から発せられた指向性の強い光を拡散させつつ出射させる。従って、ＬＥＤ２７１から発せられた光は前記拡散レンズを介することにより指向性が緩和されるので、隣り合うＬＥＤ２７１間の間隔を広くしてもその間の領域が暗部として視認され難くなる。
【００５８】
反射シート２９は、合成樹脂製とされ、光学部材２３側の表面が光の反射性に優れた白色を呈する反射面である。反射シート２９は、バックライトシャーシ２２の底２２２のほぼ全域にわたって敷設される大きさを有しており、バックライトシャーシ２２内に並列して配された前記複数の基板２７２をその表側（発行面側）から覆うように構成されている。
【００５９】
より詳しくは、反射シート２９は、前記複数の基板２７２を覆っており、反射シート２９の表面側からＬＥＤ２７１（拡散レンズが）が設けられている。この反射シート２９により、光源２７から発せられたバックライトシャーシ２２内の光を光学部材２３側に向けて効率的に反射することができる。
【００６０】
また、反射シート２９は、バックライトシャーシ２２の底２２２に沿って敷設され、底２２２の大部分を覆う矩形の底部２９ａと、底部２９ａの各長辺側に延設された複数の凸部２９ｂ，２９ｂ，・・・，２９ｂとを有する。なお、底部２９ａの該長辺側には、凸部２９ｂによって、凸部２９ｂ同士の間に、相対的に凹部２９２が形成されている。
【００６１】
底部２９ａは、その長手方向における寸法は、底２２２の長手方向の寸法と等しいが、短手方向における寸法が、底２２２の短手方向の寸法よりすこし小さい。従って、反射シート２９の長辺側には、底２２２の一部が露出されており、斯かる露出部分が拡散板２３１と対面している。
【００６２】
底部２９ａの長辺側であって、バックライトシャーシ２２の位置決め部２２４，２２４，・・・，２２４に対応する位置に、換言すれば、反射シート２９がバックライトシャーシ２２に収容された場合、位置決め部２２４，２２４，・・・，２２４と整合する位置に凸部２９ｂが夫々適宜設けられている。
【００６３】
また、各凸部２９ｂは矩形をなしており、中央部には、反射シート２９をその厚み方向に貫通する貫通穴２９１が形成されている。貫通穴２９１は位置決め部２２４の外径と略同じ径の円形であり、貫通穴２９１が位置決め部２２４と外嵌することによって、反射シート２９はバックライトシャーシ２２内における位置が定められる。
【００６４】
図３は図２の円部分を拡大した拡大図である。
【００６５】
拡散板２３１及び反射シート２９はバックライトシャーシ２２に収容された場合、これらの対向方向において、上述したように、反射シート２９の貫通穴２９１，２９１，２９１及び位置決め部２２４，２２４，・・・，２２４の位置が整合するように構成されており、各貫通穴２９１が各位置決め部２２４と外嵌する。
【００６６】
また、拡散板２３１がバックライトシャーシ２２に収容された場合、拡散板２３１の切り欠き２３１ａ，２３１ａ，・・・，２３１ａが位置決め部２２４，２２４，・・・，２２４と係合する。従って、位置決め部２２４によって、バックライトシャーシ２２内の拡散板２３１の位置も決められる。従って、本発明においては、拡散板２３１及び反射シート２９の位置ズレが防止できる。
【００６７】
一方、拡散板２３１及び反射シート２９の対向方向においては、反射シート２９の各凸部２９ｂの形状と、拡散板２３１の各切り欠き２３１ａによる凹部の形状とは共に略等しい大きさの矩形であり、かつ、これらは相互整合するように配置されている。
【００６８】
また、拡散板２３１の前記長辺側の縁部において、切り欠き２３１ａ，２３１ａ，・・・，２３１ａが形成されていない部分（剰余縁部２３１ｂ）は、前記対向方向において、反射シート２９の前記長辺側における、凸部２９ｂ同士の間の凹部２９２と整合するように配置されている。
【００６９】
なお、本発明に係る光源装置は、例えば、拡散板２３１及びバックライト装置１２からなる。
【００７０】
以上の構成を有することから、本発明の実施の形態１に係る液晶テレビジョン１００においては、上述したように、切り欠きによる凹部が暗部として視聴者に視認されることを防ぐことができる。以下、図３に基づいて詳しく説明する。
【００７１】
拡散板に切り欠きを設けた場合であって、該拡散板と反射シートとが略等しい大きさを有している場合は、該切り欠きには拡散板が欠落しているので、光源からの光の乱反射が発生しないが、該切り欠きの周囲では当該拡散板の内部乱反射が発生し、このように乱反射された光は、対応する当該反射シート部分によって表示パネル側に反射される。この結果、相対的に乱反射のない切り欠きによる凹部が暗部として、視聴者に視認される問題が生じる。
【００７２】
しかしながら、本発明の実施の形態１に係る液晶テレビジョン１００においては、上述したような構成を有することからこのような問題を解決できる。
【００７３】
すなわち、本発明の実施の形態１に係る液晶テレビジョン１００においては、拡散板２３１及び反射シート２９の対向方向において、拡散板２３１の切り欠き２３１ａ，２３１ａ，・・・２３１ａに対応する位置に、反射シート２９の凸部２９ｂ，２９ｂ，・・・，２９ｂが配置されている。また、前記対向方向において、拡散板２３１の剰余縁部２３１ｂに対応する位置に、反射シート２９の凹部２９２が配置されている。
【００７４】
従って、拡散板２３１の切り欠き２３１ａ，２３１ａ，・・・２３１ａによる凹部付近では、反射シート２９の凸部２９ｂ，２９ｂ，・・・，２９ｂによって光反射率が上昇される。また、拡散板２３１の剰余縁部２３１ｂに対応する位置には、反射シート２９の凹部２９２が配置し、かつバックライトシャーシ２２の底２２２が露出されていることにより、光反射率が下がる。これによって、拡散板２３１の長辺側の端部においてムラが発生することを防止でき、表示品位を良好に保つことができる。
【００７５】
更に、本発明は以上の記載に限るものでない。反射シート２９の凸部２９ｂ，２９ｂ，・・・，２９ｂが蛍光剤を含み、該蛍光剤は一定な反射分光分布特性を有するように構成しても良い。
【００７６】
前記蛍光剤は、例えば、ビス（トリアジニルアミノ）、スチルベンジスルホン酸誘導体、ビススチリルビフェニル誘導体等であり、例えば、反射シート２９の凸部２９ｂ，２９ｂ，・・・，２９ｂに塗布される。前記蛍光剤の他にも、ＹＡＧ、ＢＡＭ、ＳＣＡ、ＬＡＰ、ＹＯＸ等の蛍光体を用いても良い。
【００７７】
このように、反射シート２９の凸部２９ｂ，２９ｂ，・・・，２９ｂに蛍光剤を塗布することにより、ＬＥＤ２７１からの青色発光成分、又は外部からの紫外線により該蛍光剤が励起され、凸部２９ｂ，２９ｂ，・・・，２９ｂの光量をあげる。従って、暗部ムラを視認されにくくする。
【００７８】
ここで、反射分光分布特性が一定とは、可視光域（３８０ｎｍ〜７８０ｎｍ）における対象物の反射率が一定であることを意味する。
【００７９】
また、このように、前記蛍光剤が一定な反射分光分布特性を有することから、局所的な色つきを避けることが可能である。すなわち、反射率が上がることで、暗部であった拡散板２３１の切り欠き２３１ａ，２３１ａ，・・・２３１ａの光量が増すため、表示ムラが視認されにくくなる。
【００８０】
（実施の形態２）
実施の形態１においては、液晶テレビジョン１００が、拡散板２３１及び反射シート２９の対向方向において、反射シート２９の各凸部２９ｂの形状と、拡散板２３１の各切り欠き２３１ａによる凹部の形状とが共に略等しい大きさの矩形であり、かつ、これらは相互整合するように配置されている場合を例に説明したが、本発明はこれに限るものでない。
【００８１】
図４は本発明の実施の形態２に係る液晶テレビジョン１００において、拡散板２３１及び反射シート２９の収容状態を模式的に示す部分的模式図である。
【００８２】
本発明の実施の形態２に係る液晶テレビジョン１００において、拡散板２３１は、バックライトシャーシ２２の底２２２に倣う矩形を有しており、各長辺側の縁部の３箇所には、バックライトシャーシ２２の位置決め部２２４，２２４，・・・，２２４に対応できるように、切り欠き２３１ａ，２３１ａ，・・・，２３１ａが形成されている。切り欠き２３１ａ，２３１ａ，・・・，２３１ａは、拡散板２３１がバックライトシャーシ２２に収容された場合、位置決め部２２４，２２４，・・・，２２４と係合するように、適切な位置に設けられている。
【００８３】
本発明の実施の形態２に係る液晶テレビジョン１００において、切り欠き２３１ａ，２３１ａ，・・・，２３１ａによる凹部の形状は、拡散板２３１の厚み方向において、例えば、三角形となるように形成されている。
【００８４】
また、反射シート２９は、実施の形態１と同様に、の各長辺側に延設された複数の凸部２９ｂ，２９ｂ，・・・，２９ｂを有しており、各凸部２９ｂの形状は全体として略矩形をなしている。
【００８５】
しかし、本発明の実施の形態２に係る液晶テレビジョン１００においては、各凸部２９ｂには、切り欠き２３１ａ，２３１ａ，・・・，２３１ａに倣う三角形の欠落部２９ｃが形成されている。換言すれば、欠落部２９ｃ，２９ｃ，・・・，２９ｃは、反射シート２９の厚み方向において、その凹部の形状が三角形となるように形成されている。各欠落部２９ｃが各位置決め部２２４と外嵌することによって、反射シート２９はバックライトシャーシ２２内における位置が定められる。
【００８６】
以上の構成を有することから、本発明の実施の形態２に係る液晶テレビジョン１００においては、上述したように、切り欠きによる凹部が暗部として視聴者に視認されることを防ぐことができる。以下、図４に基づいて詳しく説明する。
【００８７】
すなわち、本発明の実施の形態２に係る液晶テレビジョン１００においては、拡散板２３１及び反射シート２９の対向方向において、拡散板２３１の切り欠き２３１ａ，２３１ａ，・・・２３１ａに対応する位置に、反射シート２９の凸部２９ｂ，２９ｂ，・・・，２９ｂにおける、欠落部２９ｃ，２９ｃ，・・・，２９ｃが配置されている。また、前記対向方向において、拡散板２３１の剰余縁部２３１ｂに対応する位置に、反射シート２９の凹部２９２が配置されている。
【００８８】
従って、拡散板２３１の切り欠き２３１ａ，２３１ａ，・・・２３１ａによる凹部付近では、反射シート２９の凸部２９ｂ，２９ｂ，・・・，２９ｂによって光反射率が上昇する。また、拡散板２３１の剰余縁部２３１ｂに対応する位置には、反射シート２９の凹部２９２が配置され、かつバックライトシャーシ２２の底２２２が露出されていることにより、光反射率が下がる。これによって、拡散板２３１の長辺側の端部においてムラが発生することを防止でき、表示品位を良好に保つことができる。
【００８９】
更に、本発明の実施の形態２に係る液晶テレビジョン１００においては、切り欠き２３１ａ，２３１ａ，・・・，２３１ａによる凹部の形状は、拡散板２３１の厚み方向において、三角形となるように形成されている。従って、斯かる凹部の形状が矩形である場合に比べ、暗部となり得る隅部分を減らすことができる。
【００９０】
かつ、本発明の実施の形態２に係る液晶テレビジョン１００においては、各凸部２９ｂには、切り欠き２３１ａ，２３１ａ，・・・，２３１ａに倣う三角形の欠落部２９ｃが形成されている。一般に、暗部は拡散板２３１の切り欠きの形状に近い形で現れるが、このように、欠落部２９ｃを設けることにより、一層、該切り欠きに起因する暗部によるムラの隠蔽性が高まる。すなわち、局所的な暗部が発生する逆転現象を回避することができる。
【００９１】
実施の形態１と同様の部分については、同一の符号を付して詳細な説明を省略する。
【００９２】
（実施の形態３）
実施の形態１においては、液晶テレビジョン１００が、拡散板２３１及び反射シート２９の対向方向においては、反射シート２９の各凸部２９ｂの形状と、拡散板２３１の各切り欠き２３１ａによる凹部の形状とは共に略等しい大きさの矩形であり、かつ、これらは相互整合するように配置されている場合を例に説明したが、本発明はこれに限るものでない。
【００９３】
図５は本発明の実施の形態３に係る液晶テレビジョン１００において、拡散板２３１及び反射シート２９の収容状態を模式的に示す部分的模式図である。
【００９４】
本発明の実施の形態３に係る液晶テレビジョン１００において、拡散板２３１は、各長辺側の縁部の３箇所に、バックライトシャーシ２２の位置決め部２２４，２２４，・・・，２２４に対応できるように、切り欠き２３１ａ，２３１ａ，・・・，２３１ａが形成されている。切り欠き２３１ａ，２３１ａ，・・・，２３１ａは、拡散板２３１がバックライトシャーシ２２に収容された場合、位置決め部２２４，２２４，・・・，２２４と係合するように、適切な位置に設けられている。
【００９５】
本発明の実施の形態３に係る液晶テレビジョン１００において、切り欠き２３１ａ，２３１ａ，・・・，２３１ａによる凹部の形状は、拡散板２３１の厚み方向において、例えば、略円形となるように形成されている。
【００９６】
また、反射シート２９は、実施の形態１と同様に、の各長辺側に延設された複数の凸部２９ｂ，２９ｂ，・・・，２９ｂを有しており、各凸部２９ｂの形状は全体として略矩形をなしている。
【００９７】
しかし、本発明の実施の形態３に係る液晶テレビジョン１００においては、各凸部２９ｂには、切り欠き２３１ａ，２３１ａ，・・・，２３１ａに倣う円形の欠落部２９ｃが形成されている。換言すれば、欠落部２９ｃ，２９ｃ，・・・，２９ｃは、反射シート２９の厚み方向において、その凹部の形状が円形となるように形成されている。各欠落部２９ｃが各位置決め部２２４と外嵌することによって、反射シート２９はバックライトシャーシ２２内における位置が定められる。
【００９８】
以上の構成を有することから、本発明の実施の形態２に係る液晶テレビジョン１００においては、上述したように、切り欠きによる凹部が暗部として視聴者に視認されることを防ぐことができる。以下、図５に基づいて詳しく説明する。
【００９９】
すなわち、本発明の実施の形態３に係る液晶テレビジョン１００においては、拡散板２３１及び反射シート２９の対向方向において、拡散板２３１の切り欠き２３１ａ，２３１ａ，・・・２３１ａに対応する位置に、反射シート２９の凸部２９ｂ，２９ｂ，・・・，２９ｂにおける、欠落部２９ｃ，２９ｃ，・・・，２９ｃが配置されている。また、前記対向方向において、拡散板２３１の剰余縁部２３１ｂに対応する位置に、反射シート２９の凹部２９２が配置されている。
【０１００】
従って、拡散板２３１の切り欠き２３１ａ，２３１ａ，・・・２３１ａによる凹部付近では、反射シート２９の凸部２９ｂ，２９ｂ，・・・，２９ｂによって光反射率が上昇する。また、拡散板２３１の剰余縁部２３１ｂに対応する位置には、反射シート２９の凹部２９２が配置され、かつバックライトシャーシ２２の底２２２が露出されていることにより、光反射率が下がる。これによって、拡散板２３１の長辺側の端部においてムラが発生することを防止でき、表示品位を良好に保つことができる。
【０１０１】
更に、本発明の実施の形態３に係る液晶テレビジョン１００においては、切り欠き２３１ａ，２３１ａ，・・・，２３１ａによる凹部の形状は、拡散板２３１の厚み方向において、円形となるように形成されている。従って、斯かる凹部の形状が矩形である場合に比べ、暗部となり得る隅部分を無くすことができると共に、加工性の向上及び強度上昇を図ることができる。
【０１０２】
かつ、本発明の実施の形態２に係る液晶テレビジョン１００においては、各凸部２９ｂに、切り欠き２３１ａ，２３１ａ，・・・，２３１ａに倣う円形の欠落部２９ｃが形成することにより、実施の形態２と同様に、一層、該切り欠きに起因する暗部によるムラの隠蔽性が高まる。
【０１０３】
実施の形態１と同様の部分については、同一の符号を付して詳細な説明を省略する。
【０１０４】
（実施の形態４）
実施の形態１においては、液晶テレビジョン１００が、拡散板２３１及び反射シート２９の対向方向においては、反射シート２９の各凸部２９ｂの形状と、拡散板２３１の各切り欠き２３１ａによる凹部の形状とは共に略等しい大きさの矩形であり、かつ、これらは相互整合するように配置されている場合を例に説明したが、本発明はこれに限るものでない。
【０１０５】
図６は本発明の実施の形態４に係る液晶テレビジョン１００において、拡散板２３１及び反射シート２９の収容状態を模式的に示す部分的模式図である。
【０１０６】
本発明の実施の形態４に係る液晶テレビジョン１００において、拡散板２３１は、各長辺側の縁部の３箇所に、バックライトシャーシ２２の位置決め部２２４，２２４，・・・，２２４に対応できるように、切り欠き２３１ａ，２３１ａ，・・・，２３１ａが形成されている。切り欠き２３１ａ，２３１ａ，・・・，２３１ａは、拡散板２３１がバックライトシャーシ２２に収容された場合、位置決め部２２４，２２４，・・・，２２４と係合するように、適切な位置に設けられている。
【０１０７】
本発明の実施の形態４に係る液晶テレビジョン１００において、切り欠き２３１ａ，２３１ａ，・・・，２３１ａによる凹部の形状は、拡散板２３１の厚み方向において、例えば、矩形となるように形成されている。
【０１０８】
また、反射シート２９は、実施の形態１〜３と異なり、凸部２９ｂを有していない。従って、本発明の実施の形態４に係る液晶テレビジョン１００においては、前記対向方向において、拡散板２３１の剰余縁部２３１ｂに対応する位置に、バックライトシャーシ２２の底２２２が露出されている。
【０１０９】
本発明の実施の形態４に係る液晶テレビジョン１００においては、このように、前記対向方向において、拡散板２３１の剰余縁部２３１ｂに対応する位置に露出された底２２２の一部分に、グレー又は黒色の塗料を印刷している。
【０１１０】
以上の構成を有することから、本発明の実施の形態４に係る液晶テレビジョン１００においては、上述したように、切り欠きによる凹部が暗部として視聴者に視認されることを防ぐことができる。以下、図６に基づいて詳しく説明する。
【０１１１】
すなわち、本発明の実施の形態４に係る液晶テレビジョン１００においては、拡散板２３１及び反射シート２９の対向方向において、拡散板２３１の剰余縁部２３１ｂに対応する位置に、グレー又は黒色の塗料の膜が印刷された底２２２の一部分が露出されている。
【０１１２】
従って、拡散板２３１の剰余縁部２３１ｂに対応する位置には、グレー又は黒色の底２２２（膜）が露出されることにより、斯かる部分における光反射率を下げる。これによって、拡散板２３１の切り欠き２３１ａ，２３１ａ，・・・２３１ａによる凹部付近での暗部の隠蔽性が高まり、拡散板２３１の長辺側の端部においてムラ発生することを防止でき、表示品位を良好に保つことができる。
【０１１３】
また、以上の記載においては、底２２２の前記一部分に、グレー又は黒色の塗料の膜を印刷している場合を例として説明したが、本発明はこれに限るものでない。例えば、光吸収剤を塗布してもよく、反射率を下げるものであれば良い。
【０１１４】
本発明は以上の記載に限るものでない。バックライトシャーシ２２の前記膜が一定な反射分光分布特性を有するように構成しても良い。
【０１１５】
このように、前記膜が一定な反射分光分布特性を有することから、局所的な色つきを避けることが可能である。すなわち、反射率が上がることで、暗部であった拡散板２３１の切り欠き２３１ａ，２３１ａ，・・・２３１ａの光量が増すため、表示ムラが視認されにくくなる。
【０１１６】
また、バックライトシャーシ２２の前記膜は複数の微細なドットの印刷により形成されるように構成しても良い。この場合、印刷の濃淡をつけることが容易となり、拡散板２３１の切り欠き２３１ａ，２３１ａ，・・・２３１ａ以外の箇所の色つきを防止し、表示ムラを視認されにくくする。
【０１１７】
更に、この際、前記ドットの径はバックライトシャーシ２２の中央部に向かうに従って小さくなるように構成しても良い。斯かる場合、印刷の濃淡の調整が容易となる。
【０１１８】
実施の形態１と同様の部分については、同一の符号を付して詳細な説明を省略する。
【０１１９】
更に、本発明は以上の記載に限るものでない。例えば、拡散板２３１において、光源２７側から入射された光が光学シート２３２に向けて出射する一面が、レンズ形状を有するように構成しても良い。
【０１２０】
すなわち、拡散板２３１の前記一面が複数のシリンドリカルレンズ形状を有するように構成する。これによって、ユーザによって視認される液晶パネル１１の表示領域に侵入したムラを拡散させるので、ユーザが該表示領域における表示ムラを視認しにくくなる。
【０１２１】
また、以上に限るものでなく、拡散板２３１の前記一面が拡散ビーズを有するように構成しても良い。
【０１２２】
該拡散ビーズとしては、例えば、平均粒子径が５〜４０μｍであり、シリカ、架橋ポリメタクリル酸メチル、架橋ポリスチレン、炭酸カルシウム等からなる球状のものであれば良い。望ましくは、屈折率が１．４〜１．７であり、かつシャープな粒度分布を有する方が良い。
【０１２３】
このように、拡散ビーズを拡散板２３１の前記一面に設けることにより、前記表示領域に侵入したムラを拡散させることが可能となり、ユーザが該表示領域における表示ムラを視認しにくくなる。
【０１２４】
更に、以上に限るものでなく、拡散板２３１自体が拡散ビーズを含むように構成しても良い。
【０１２５】
この場合における拡散ビーズは、例えば、平均粒子径が５００ｎｍ〜１００μｍで、シリカ、アクリル、有機無機複合系(例えば、シリカ・アクリル複合系)等からなるものであれば良い。また、望ましくは、真球状で粒度分布がシャープであり、耐溶剤性、耐熱性及び耐光性を有し、かつ屈折率が１．４〜１．７である方が良い。
【０１２６】
このように、拡散ビーズを拡散板２３１に含ませることにより、拡散板２３１内部での拡散効果を高め、拡散板２３１内部へ侵入した暗部ムラを拡散させることが可能となり、ユーザが該表示領域における表示ムラを視認しにくくなる。
【符号の説明】
【０１２７】
１１  液晶パネル
２２  バックライトシャーシ（収容筐体）
２７  光源
２９  反射シート
２９ｂ  凸部
２９ｃ  欠落部
１００  液晶テレビジョン
２２２  底
２９２  凹部
２２４  位置決め部
２３１  拡散板
２３１ａ  切り欠き
２３１ｂ  剰余縁部
【図１】
2015015558.tif 000003
【図２】
2015015558.tif 000004
【図３】
2015015558.tif 000005
【図４】
2015015558.tif 000006
【図５】
2015015558.tif 000007
【図６】
2015015558.tif 000008
【手続補正書】
【提出日】平成28年7月20日(2016.7.20)
【手続補正１】
【補正対象書類名】明細書
【補正対象項目名】０００１
【補正方法】変更
【補正の内容】
【０００１】
本発明は、光源と、該光源からの光を拡散する拡散部材と、前記光源からの光を該拡散部材に反射する反射シートと、前記拡散部材及び反射シートを対向収容する収容筐体と、該収容筐体に設けられ、前記拡散部材及び反射シートの前記収容筐体内位置を決める位置決め部とを備える光源装置と、該光源装置を備える表示装置に関する。
【手続補正２】
【補正対象書類名】明細書
【補正対象項目名】０００８
【補正方法】変更
【補正の内容】
【０００８】
本発明は、斯かる事情に鑑みてなされたものであり、その目的とするところは、光源と、該光源からの光を拡散する拡散部材と、前記光源からの光を該拡散部材に反射する反射シートと、前記拡散部材及び反射シートを対向収容する収容筐体と、該収容筐体に設けられ、前記拡散部材及び反射シートの前記収容筐体内位置を決める位置決め部とを備える光源装置において、前記位置決め部に対応する前記拡散部材の切り欠きと前記対向の方向にて対応する位置であって、前記反射シートの一縁部に、凸部を設けることにより、該拡散部材の切り欠き近傍での光反射率を上昇させ、拡散部材の欠損により、前記切り欠き近傍で暗部又は輝度ムラが現れる問題を解決できる光源装置及び表示装置を提供することにある。
【手続補正３】
【補正対象書類名】明細書
【補正対象項目名】０００９
【補正方法】変更
【補正の内容】
【０００９】
本発明に係る光源装置は、光源と、該光源からの光を拡散する拡散部材と、前記光源からの光を該拡散部材に反射する反射シートと、前記拡散部材及び反射シートを対向収容する収容筐体と、該収容筐体に設けられ、前記拡散部材及び反射シートの前記収容筐体内位置を決める位置決め部とを備える光源装置において、前記拡散部材は前記位置決め部に対応する切り欠きを一側面部に設け、前記反射シートは前記拡散部材の前記一側面に対応する一縁部に凹凸を有しており、前記対向の方向にて、前記拡散部材の前記切り欠きは、前記反射シートの前記一縁部の凸部に対応して配置されていることを特徴とする。
【手続補正４】
【補正対象書類名】明細書
【補正対象項目名】００２３
【補正方法】変更
【補正の内容】
【００２３】
本発明に係る光源装置は、光源と、該光源からの光を拡散する拡散部材と、前記光源からの光を該拡散部材に反射する反射シートと、前記拡散部材及び反射シートを対向収容する収容筐体と、該収容筐体に設けられ、前記拡散部材及び反射シートの前記収容筐体内位置を決める位置決め部とを備える光源装置において、前記拡散部材は前記位置決め部に対応する切り欠きを一側面部に設け、前記拡散部材は、前記対向の方向にて、前記一側面部の前記切り欠きを除く剰余部が、前記収容筐体の底と対面しており、前記収容筐体の底のうち、前記剰余部と対面する部分には、他部分より低い反射率を有する膜が形成されていることを特徴とする。
【手続補正５】
【補正対象書類名】明細書
【補正対象項目名】００９８
【補正方法】変更
【補正の内容】
【００９８】
以上の構成を有することから、本発明の実施の形態３に係る液晶テレビジョン１００においては、上述したように、切り欠きによる凹部が暗部として視聴者に視認されることを防ぐことができる。以下、図５に基づいて詳しく説明する。
【手続補正６】
【補正対象書類名】特許請求の範囲
【補正対象項目名】全文
【補正方法】変更
【補正の内容】
【特許請求の範囲】
【請求項１】
光源と、該光源からの光を拡散する拡散部材と、前記光源からの光を該拡散部材に反射する反射シートと、前記拡散部材及び反射シートを対向収容する収容筐体と、該収容筐体に設けられ、前記拡散部材及び反射シートの前記収容筐体内位置を決める位置決め部とを備える光源装置において、
前記拡散部材は前記位置決め部に対応する切り欠きを一側面部に設け、
前記反射シートは前記拡散部材の前記一側面に対応する一縁部に凹凸を有しており、
前記対向の方向にて、前記拡散部材の前記切り欠きは、前記反射シートの前記一縁部の凸部に対応して配置されていることを特徴とする光源装置。
【請求項２】
前記拡散部材の前記一側面部の前記切り欠きを除く剰余部は、前記対向の方向にて、前記反射シートの前記一縁部の凹部に対応して配置されていることを特徴とする請求項１に記載の光源装置。
【請求項３】
前記反射シートの前記凸部には、前記対向の方向にて、前記拡散部材の前記切り欠きと対向する位置に、該切り欠きと相似形である欠落部を有することを特徴とする請求項１又は２に記載の光源装置。
【請求項４】
前記反射シートの前記欠落部は、略三角形であることを特徴とする請求項３に記載の光源装置。
【請求項５】
前記反射シートの前記欠落部は、略円形であることを特徴とする請求項３に記載の光源装置。
【請求項６】
前記反射シートの前記凸部は蛍光剤を含むことを特徴とする請求項１から５の何れかに記載の光源装置。
【請求項７】
前記蛍光剤は一定な反射分光分布特性を有していることを特徴とする請求項６に記載の光源装置。
【請求項８】
光源と、該光源からの光を拡散する拡散部材と、前記光源からの光を該拡散部材に反射する反射シートと、前記拡散部材及び反射シートを対向収容する収容筐体と、該収容筐体に設けられ、前記拡散部材及び反射シートの前記収容筐体内位置を決める位置決め部とを備える光源装置において、
前記拡散部材は前記位置決め部に対応する切り欠きを一側面部に設け、
前記拡散部材は、前記対向の方向にて、前記一側面部の前記切り欠きを除く剰余部が、前記収容筐体の底と対面しており、
前記収容筐体の底のうち、前記剰余部と対面する部分には、他部分より低い反射率を有する膜が形成されていることを特徴とする光源装置。
【請求項９】
前記収容筐体の前記膜は一定な反射分光分布特性を有していることを特徴とする請求項８に記載の光源装置。
【請求項１０】
前記収容筐体の前記膜は複数のドットの印刷により形成されていることを特徴とする請求項８に記載の光源装置。
【請求項１１】
前記ドットの径は前記収容筐体底の中央部に向かうに従い小さくなるように構成されていることを特徴とする請求項１０に記載の光源装置。
【請求項１２】
前記拡散部材は光が出射する一面がレンズ形状を有することを特徴とする請求項１から１１の何れかに記載の光源装置。
【請求項１３】
前記拡散部材は光が出射する一面が拡散ビーズを有することを特徴とする請求項１から１１の何れかに記載の光源装置。
【請求項１４】
前記拡散部材は拡散ビーズを含むことを特徴とする請求項１から１３の何れかに記載の光源装置。
【請求項１５】
請求項１から６の何れかに記載の光源装置と、
前記拡散部材の一面側に設けられており、該拡散部材を介して入射される光を用いて画像を表示する表示パネルと
を備えることを特徴とする表示装置。
【国際調査報告】
2015015558.tif 000009
2015015558.tif 000010
2015015558.tif 000011